(57)【要約】【課題】電池カバーの取り外し操作が容易である電池カバーのロック機構及びそれを用いる携帯式電子装置を提供する。【解決手段】本発明に係る携帯式電子装置は、係合部が設けられている本体と、前記本体にロックされる電池カバーと、前記電池カバーに回転可能に装着されている操作部材と、を備える。前記操作部材を回転させて、前記操作部材と前記係合部との係止又は離脱を行うことにより、前記電池カバーを前記本体にロックさせる又は前記電池カバーを前記本体から解除させる。【選択図】図１
2011138747.tif 000002
【特許請求の範囲】
【請求項１】
係合部が設けられている本体と、
前記本体にロックされる電池カバーと、
前記電池カバーに回転可能に装着されている操作部材と、
を備える携帯式電子装置において、
前記操作部材を回転させて、前記操作部材と前記係合部との係止又は離脱を行うことにより、前記電池カバーを前記本体にロックさせる又は前記電池カバーを前記本体から解除させることを特徴とする携帯式電子装置。
【請求項２】
前記係合部は、間隔をあけて設けられた第一フック及び第二フックから構成され、前記第一フック及び前記第二フックの指向が相反し、
前記操作部材は、一定の夾角を成すように延在された２つの係止アームを備え、前記２つの係止アームは、それぞれ前記第一フック及び前記第二フックに係止されることを特徴とする請求項１に記載の携帯式電子装置。
【請求項３】
前記電池カバーは、第一支持板、第二支持板、位置決め柱、及び弾性部材が凸設される取付部を含み、
前記操作部材は、前記位置決め柱に回転可能に装着され、前記２つの係止アームは、それぞれ前記第一支持板及び前記第二支持板にキャリアされ、
前記弾性部材は、前記操作部材を弾性的に当止して、前記操作部材をリセットさせる弾性力を提供することを特徴とする請求項２に記載の携帯式電子装置。
【請求項４】
電池カバーを携帯式電子装置の本体にロックする又は前記本体から解除することに用いられる電池カバーのロック機構であって、
前記電池カバーは、カバーボードと、前記カバーボードの周囲に垂直に連結され、且つ互いに連接される第一側板及び第二側板と、を備え、
前記電池カバーの前記ロック機構は、前記電池カバーに回転可能に装着され、且つ前記第一側板から露出する操作部材を備え、
前記操作部材を回転させることにより、前記電池カバーを前記本体にロックさせる又は前記電池カバーを前記本体から解除させることを特徴とする電池カバーのロック機構。
【請求項５】
前記電池カバーのロック機構は、一端が前記電池カバーに取り付けられて固定され、他端が前記操作部材に取り付けられて固定されるトーションバネをさらに備え、
前記トーションバネは、前記操作部材に元の状態に回転させる弾性力を提供することを特徴とする請求項４に記載の電池カバーのロック機構。
【発明の詳細な説明】
【技術分野】
【０００１】
本発明は、電池カバーのロック機構及びそれを用いる携帯式電子装置に関するものである。
【背景技術】
【０００２】
現在、広く用いられている携帯電話、携帯情報端末（ＰＤＡ）などのような携帯式電子装置は、一般的にリチウム電池を電源として用いる。携帯式電子装置の本体に配置された収容凹部に前記リチウム電池を収納してから、前記本体に電池カバーを係合して、前記携帯式電子装置に電力を提供する。
【発明の概要】
【発明が解決しようとする課題】
【０００３】
しかし、携帯式電子装置のリチウム電池に電力量の不足又は故障が発生した場合には、たびたび電池カバーを取り外して電池を交換しなければならない。従来の電池カバーは、通常、電池カバーの自体に設けられた係合凹溝を介して、携帯式電子装置の本体に設けられたクリップまたはロックピンに係止されるため、取り外し操作に時間がかかり、且つ力を必要とするので、ユーザーにとって不便である。
【０００４】
そこで、本発明は以上の問題点を鑑みて、取り外し操作が容易である電池カバーのロック機構及びそれを用いる携帯式電子装置を提供することを目的とする。
【課題を解決するための手段】
【０００５】
前記問題を解決するために、本発明に係る電池カバーロック機構は、電池カバーを携帯式電子装置の本体にロックする又は前記本体から解除することに用いられる。前記電池カバーは、カバーボードと、前記カバーボードの周囲に垂直に連結され且つ互いに連接される第一側板及び第二側板と、を備える。前記電池カバーロック機構は、前記電池カバーに回転可能に装着され、且つ前記第一側板から露出する操作部材を備えるので、前記操作部材を回転することにより、前記電池カバーを前記本体にロックさせる又は前記電池カバーを前記本体から解除させる。
【０００６】
また、本発明に係る携帯式電子装置は、係合部が設けられている本体と、前記本体にロックされる電池カバーと、前記電池カバーに回転可能に装着されている操作部材と、を備える。前記操作部材を回転させて、前記操作部材と前記係合部との係止又は離脱を行うことにより、前記電池カバーを前記本体にロックさせる又は前記電池カバーを前記本体から解除させる。
【発明の効果】
【０００７】
従来の技術に比べて、本発明に係る携帯式電子装置において、操作部材を回転させることにより、電池カバーと本体とを互いにロックさせる、又は前記電池カバーを前記本体から解除させることを可能にするので、使い勝手を向上させる。
【図面の簡単な説明】
【０００８】
【図１】本発明に係る携帯式電子装置の分解図である。
【図２】本発明に係る携帯式電子装置の電池カバーの局部の拡大図である。
【図３】図１に示した携帯式電子装置のロック機構の拡大分解図である。
【図４】図３に示したロック機構の操作部材が電池カバーに装着された状態を示す図である。
【図５】本発明に係るロック機構が電池カバーに装着された状態を示す図である。
【図６】図１に示した携帯式電子装置の組立て図である。
【図７】図１に示した本体とロック機構との係合状態を示す斜視図である。
【図８】図７に示した本体とロック機構との開放過程を示す斜視図である。
【図９】本発明に係るロック機構の操作部材が電池カバーに装着された他の状態示す図である。
【発明を実施するための形態】
【０００９】
本発明に係る携帯式電子装置は、携帯電話、個人用携帯情報端末（ＰＤＡ）、電子ゲーム機などとされることができる。以下、図面を参照しながら、本発明に係るロック機構の具体的な構造及び作動原理について説明する。
【００１０】
図１に示したように、前記携帯式電子装置１００は、本体１０と、電池カバー３０と、ロック機構５０と、を備える。前記電池カバー３０は、前記ロック機構５０を介して前記本体１０に着脱可能にロックされる。
【００１１】
前記本体１０の背面には、電池収納部１１と、前記電池収納部１１に隣接し且つ前記本体１０の一端側に位置する係合部１３と、が設置されている。前記係合部１３は、間隔をあけて凸設され、且つ略等しい構造を有する第一係止部材１３１及び第二係止部材１３３を含む。前記第一係止部材１３１及び前記第二係止部材１３３の自由端には、それぞれ第一フック１３１１及び第二フック１３３１が設けられ、且つ前記第一フック１３１１と前記第二フック１３３１との突出方向は、相反する。
【００１２】
図２を参照すると、前記電池カバー３０は、カバーボード３１と、前記カバーボード３１の周囲に垂直に連結されている２つの第一側板３３及び２つの第二側板３５と、を含む。各々の第一側板３３の両端は、それぞれ２つの前記第二側板３５に略垂直に連接され、且つ前記本体１０の係合部１３に対応する側の前記第一側板３３の中央部には、開口３３１及びノッチ３３３が設けられている。前記ノッチ３３３は、前記開口３３１に連通し、且つ前記開口３３１の中央部から凹んで形成される。
【００１３】
前記カバーボード３１の前記開口３３１に対応する一端には、取付部３７が設置されている。前記取付部３７は、略「コ」字形状を呈する位置決め筐３７９と、前記位置決め筐３７９及び前記第一側板３３によって囲まれて形成される収納空間（参照符号なし）と、を含む。前記収納空間内には、第一支持部材３７１、第二支持部材３７３、位置決め柱３７５、及び２つの当止板３７７が設置されている。前記第一支持部材３７１及び前記第二支持部材３７３は、略「八」字形状を呈して設置される。
【００１４】
前記第一支持部材３７１は、前記第一側板３３に近接する第一支持板３７１１と、前記第一支持板３７１１より高い第一止め板３７１３と、を含む。前記第二支持部材３７３は、前記第一支持部材３７１と類似の構造を有し、第二支持板３７３１と、前記第二支持板３７３１より高い第二止め板３７３３と、を含み、前記第一支持部材３７１と異なる構造は、前記第二止め板３７３３が前記第一側板３３に近接して設置されることである。前記位置決め柱３７５は、前記ノッチ３３３に対応して凸設され、その中央部には、略円形の位置決め孔３７５１が開設されている。前記２つの当止板３７７は、弾性材料からなり、それぞれ前記第一支持板３７１１及び前記第二支持板３７３１に近接し、且つ前記第一止め板３７１３及び前記第二止め板３７３３に対して間隔をあけて設置されている。
【００１５】
図３に示すように、前記ロック機構５０は、操作部材５１と、位置決め板５３と、を含む。前記操作部材５１は、円盤状の底盤５１１及び前記底盤５１１の円周壁から鈍角を成して延在する２つの係止アーム５１３を含む。本実施形態において、前記２つの係止アーム５１３の夾角は、１２０°である。前記２つの係止アーム５１３は、それぞれ前記本体１０の第一フック１３１１及び第二フック１３３１に係止されると共に、それぞれ前記取付部３７の第一支持板３７１１及び第二支持板３７３１上に支持され、且つ前記第一止め板３７１３及び前記第二止め板３７３３によって回転範囲が制限される。前記底盤５１１において、外部に露出する部分の円周壁には、複数の微小な凸部５１７が設けられ、対向する２つの表面の中央部には、それぞれ１つの固定ピン５１５が設置されている。前記凸部５１７は、操作時の摩擦力を向上させて前記操作部材５１の操作を容易にさせるようにし、前記２つの固定ピン５１５は同一の軸線に位置する。
【００１６】
前記位置決め板５３は、矩形の板状体であり、対向する２つの第一側壁５３１と、対向する２つの第二側壁５３３と、間隔をあけて開設されている２つの貫通孔５３５と、前記位置決め板５３の上面から突出する円柱状の突出部５３７と、を含む。前記位置決め板５３の厚さ（即ち、前記第一側壁５３１の高さ）は、前記開口３３１の深さに等しい。前記２つの貫通孔５３５は、それぞれ前記本体１０の第一係止部材１３１と第二係止部材１３３とを貫通させて、前記電池カバー３０の２つの係止アーム５１３に係止させるようにする。前記突出部５３７の中央部には、円形の軸穴５３７１が設けられている。前記底盤５１１の１つの固定ピン５１５を前記軸穴５３７１に係合させることにより、前記位置決め板５３を前記操作部材５１に回転可能に装着させることができる。
【００１７】
図２乃至図５を参照すると、前記携帯式電子装置１００を組み立てる場合、まず、前記ロック機構５０を前記電池カバー３０に取り付ける。詳細に述べると、前記操作部材５１の１つの固定ピン５１５を前記取付部３７の位置決め柱３７５の位置決め孔３７５１内に挿入すると共に、前記操作部材５１の２つの係止アーム５１３の自由端をそれぞれ前記第一支持板３７１１及び前記第二支持板３７３１上に載せる。
【００１８】
次に、前記操作部材５１のもう１つの固定ピン５１５が前記位置決め板５３の軸穴５３７１に挿入されるように、前記位置決め板５３を前記取付部３７上に被せて固定する。この際、前記位置決め板５３の１つの第一側壁５３１は、前記電池カバー３０の開口３３１内に係合され、前記位置決め板５３の他の第一側壁５３１及び２つの第二側壁５３３はそれぞれ前記位置決め筐３７９上に位置する（図５を参照）。本実施形態において、超音波溶接の方式で、前記位置決め板５３を前記電池カバー３０に固着する。
【００１９】
最後に、前記ロック機構５０が装着されている電池カバー３０を前記本体１０にロックする。前記本体１０の第一係止部材１３１及び第二係止部材１３３をそれぞれ前記位置決め板５３の貫通孔５３５に貫通させて、前記第一フック１３１１及び前記第二フック１３３１をそれぞれ前記電池カバー３０の２つの係止アーム５１３に係止する。これで、前記携帯式電子装置１００の組立てが終了する。
【００２０】
図８及び図９を参照すると、前記電池カバー３０を前記本体１０から取り外す場合、前記操作部材５１を回転させて、前記２つの係止アーム５１３をそれぞれ前記第一フック１３１１及び前記第二フック１３３１から離脱させる。即ち、前記操作部材５１の回転過程で、前記２つの係止アーム５１３の押圧によって前記当止板３７７は、それぞれ弾性変形され、前記２つの係止アーム５１３は、前記第一フック１３１１及び前記第二フック１３３１からそれぞれ離脱されて、前記電池カバー３０は、前記本体１０から取り外される。前記電池カバー３０を取り外した後、前記操作部材５１は、前記取付部３７の２つの当止板３７７の弾性力により元の位置に戻る。
【００２１】
本発明に係る携帯式電子装置１００において、前記電池カバー３０に装着された操作部材５１を回転させて、前記操作部材５１の２つの係止アーム５１３をそれぞれ前記本体１０の第一係止部材１３１及び第二係止部材１３３から離脱させる場合、前記電池カバー３０と前記本体１０とのロックを解除するので、使い勝手を向上させる。
【００２２】
また、前記位置決め板５３、前記第一支持板３７１及び前記第二支持板３７３を省略し、前記操作部材５１を前記電池カバー３０に直接的に回転可能に装着してもよい。
【００２３】
また、前記ロック機構５０と前記取付部３７とを前記本体１０に装着し、前記係合部１３を前記電池カバー３０に設けてもよい。
【００２４】
また、本実施形態の携帯式電子装置１００において、前記２つの当止板３７７は、前記操作部材５１をリセットさせる弾性部材として作用するが、他の実施形態では、前記２つの当止板３７７を省略し、前記操作部材５１と前記電子蓋３０との摩擦力により前記操作部材５１の位置を決めることができる。また、一端が前記操作部材５１に固定され、他端が前記電池カバー３０に固定されるトーションバネを利用して、前記操作部材５１に弾性力を提供することもできる。
【００２５】
また、前記係止アーム５１３を１つのみ設置し、それに対応して、前記本体１０上の係止部材を１つのみ設置することができる。
【００２６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２７】
１０        本体
１１        電池収納部
１３        係合部
３０        電池カバー
３１        カバーボード
３３        第一側板
３５        第二側板
３７        取付部
５０        ロック機構
５１        操作部材
５３        位置決め板
１００      携帯式電子装置
１３１      第一係止部材
１３３      第二係止部材
３３１      開口
３３３      ノッチ
３７１      第一支持部材
３７３      第二支持部材
３７５      位置決め柱
３７７      当止板
３７９      位置決め筐
５１１      底盤
５１３      係止アーム
５１５      固定ピン
５１７      凸部
５３１      第一側壁
５３３      第二側壁
５３５      方形貫通孔
５３７      突出部
１３１１    第一フック
１３３１    第二フック
３７１１    第一支持板
３７１３    第一止め板
３７３１    第二支持板
３７３３    第二止め板
３７５１    位置決め孔
５３７１    軸穴
【図１】
2011138747.tif 000003
【図２】
2011138747.tif 000004
【図３】
2011138747.tif 000005
【図４】
2011138747.tif 000006
【図５】
2011138747.tif 000007
【図６】
2011138747.tif 000008
【図７】
2011138747.tif 000009
【図８】
2011138747.tif 000010
【図９】
2011138747.tif 000011